(57)【要約】【課題】雨水貯留タンクから延びるオーバーフロー用の排水ホースを竪樋および排水管に容易に接続可能であり、排水ホースの接続状態を良好に保持することができ、しかも排水ホースからスムーズに排水することができる排水ホース接続継手を提供すること。【解決手段】上下に開放された筒状の本体２の内部に上下方向に連通する排水部４が形成され、排水部には、上端部に竪樋接続部５が、下端部に排水管接続部９がそれぞれ配設され、本体の側部に排水ホース接続部３が接続され、排水ホース接続部は、上方に開放された有底筒状の形状を有し、内部が排水部に連通し、排水ホース接続部の本体側部への接続部１３付近に、底面部から上方に延びる排水ホース取り付け用のリブが立設され、リブは、平板状の形状を有し、排水部側に配置されるリブの一側部が、排水ホースの一端部の内径を挿入につれて拡径可能である。【選択図】図１
2010106466.tif 000002
【特許請求の範囲】
【請求項１】
竪樋より受水路を介して雨水を受水する雨水貯留タンクと、雨水貯留タンクからのオーバーフロー水を竪樋に排水する溢水路とを有する雨水利用システムにおいて、
上下に開放された筒状の本体の内部に上下方向に連通する排水部が形成され、
排水部の上端部に竪樋の一端部に接続可能な竪樋接続部が配設され、
排水部の下端部に排水管の一端部に接続可能な排水管接続部が配設され、
本体の側部に、雨水貯留タンクから延びるオーバーフロー用の排水ホースの一端部が接続可能な排水ホース接続部が接続され、排水ホース接続部は、上方に開放された有底筒状の形状を有し、排水ホース接続部の内部が前記排水部に連通している排水ホース接続継手であって、
排水ホース接続部の本体側部への接続部付近に、底面部から上方に延び、排水ホース接続部の内部に配置された排水ホース取り付け用のリブが立設され、リブは、平板状の形状を有し、排水部側に配置されるリブの一側部が、排水ホースの前記一端部の内径を、排水ホースの排水ホース接続部の内部への挿入につれて拡径可能である
ことを特徴とする排水ホース接続継手。
【請求項２】
リブの一側部の上端部に、上方に湾曲した排水ホースの誘い込み部が形成されていることを特徴とする請求項１に記載の排水ホース接続継手。
【請求項３】
排水ホース接続部の底面部に、本体の側部に向かって下方に傾斜する勾配部が形成されていることを特徴とする請求項１または２に記載の排水ホース接続継手。
【請求項４】
竪樋接続部は、竪樋の内挿が可能であり、竪樋接続部の下端に、前記排水部の内側に向かって突出する段状の竪樋ストッパー部が配設されていることを特徴とする請求項１ないし３いずれか一項に記載の排水ホース接続継手。
【発明の詳細な説明】
【技術分野】
【０００１】
本発明は、雨水貯留タンクからオーバーフローする雨水を、竪樋を流れる雨水とともに排水管へ排水するための排水ホース接続継手に関する。
【背景技術】
【０００２】
従来、雨樋から排水される雨水を、草花や庭木などへの散水や洗車などに利用することが行われている。このような雨水の利用は、節水を可能にし、環境の保護などへ貢献している。
【０００３】
雨水を取水する装置として、たとえば特許文献１に記載された雨水取水装置が知られている。
【０００４】
上記雨水取水装置では、竪樋の中間部に雨水を分流させる分水箱が装着され、この分水箱に取水用配管を介して雨水貯留水槽が接続されている。竪樋を通って屋根から流れてきた雨水は、その一部が、分水箱を介して分流し、取水用配管を通って雨水貯留水槽にためられる。残りの雨水は、分水箱を通った後、排水溝に直接排水される。
【０００５】
また、上記雨水取水装置では、雨水貯留水槽の上端部に越流管がその一端において接続されている。越流管の他端は排水溝に導くことができ、雨水貯留水槽が満杯になったとき、雨水貯留水槽から雨水をオーバーフローさせ、越流管を介して排水溝に排水させる。
【０００６】
越流管は、また、三又管を用いて竪樋に接続することができ、オーバーフローする雨水を竪樋に流出させた後に排水溝に排水することもできる。
【特許文献１】特開平８−８５９８２号公報
【発明の開示】
【発明が解決しようとする課題】
【０００７】
しかしながら、特許文献１は、越流管を三又管に接続する具体的な構造を何ら提案していない。越流管は三又管にしっかり保持されていないと、雨水貯留水槽からオーバーフローする雨水の流量や流れの勢いなどによって容易に抜け外れ、漏水が発生する。また、このような越流管の抜け外れは、雨水貯留水槽が屋外に配置されることから、外気温にともなう越流管および三又管の伸縮や風の巻き上げなどに起因して起こりやすい。
【０００８】
さらに、越流管が三又管の内底面に接触するまで挿入されると、排水路が閉塞され、オーバーフローする雨水が越流管から三又管へスムーズに排水されないことがある。このことによっても漏水が発生する。
【０００９】
本発明は、以上のとおりの事情に鑑みてなされたものであり、雨水貯留タンクから延びるオーバーフロー用の排水ホースを竪樋および排水管に容易に接続可能であり、排水ホースの接続状態を良好に保持することができ、しかも排水ホースからスムーズに排水することができる、雨水貯留タンクからオーバーフローする雨水を、竪樋を流れる雨水とともに排水する排水ホース接続継手を提供することを課題としている。
【課題を解決するための手段】
【００１０】
本発明は、上記の課題を解決するために、以下の特徴を有している。
【００１１】
第１の発明は、竪樋より受水路を介して雨水を受水する雨水貯留タンクと、雨水貯留タンクからのオーバーフロー水を竪樋に排水する溢水路とを有する雨水利用システムにおいて、上下に開放された筒状の本体の内部に上下方向に連通する排水部が形成され、排水部の上端部に竪樋の一端部に接続可能な竪樋接続部が配設され、排水部の下端部に排水管の一端部に接続可能な排水管接続部が配設され、本体の側部に、雨水貯留タンクから延びるオーバーフロー用の排水ホースの一端部が接続可能な排水ホース接続部が接続され、排水ホース接続部は、上方に開放された有底筒状の形状を有し、排水ホース接続部の内部が前記排水部に連通している排水ホース接続継手であって、排水ホース接続部の本体側部への接続部付近に、底面部から上方に延び、排水ホース接続部の内部に配置された排水ホース取り付け用のリブが立設され、リブは、平板状の形状を有し、排水部側に配置されるリブの一側部が、排水ホースの前記一端部の内径を、排水ホースの排水ホース接続部の内部への挿入につれて拡径可能であることを特徴としている。
【００１２】
第２の発明は、上記第１の発明の特徴において、リブの一側部の上端部に、上方に湾曲した排水ホースの誘い込み部が形成されていることを特徴としている。
【００１３】
第３の発明は、上記第１または第２の発明の特徴において、排水ホース接続部の底面部に、本体の側部に向かって下方に傾斜する勾配部が形成されていることを特徴としている。
【００１４】
第４の発明は、上記第１ないし第３いずれか一つの特徴において、竪樋接続部は、竪樋の内挿が可能であり、竪樋接続部の下端に、前記排水部の内側に向かって突出する段状の竪樋ストッパー部が配設されていることを特徴としている。
【発明の効果】
【００１５】
上記第１の発明によれば、雨水貯留タンクから延びる排水ホースの一端部を排水ホース接続部に接続することができ、雨水貯留タンクからオーバーフローする雨水を、竪樋を流れる雨水とともに排水することができる。排水ホース接続部では、排水ホースの一端部が、内部への挿入にともなって排水ホース取り付け用のリブの一側部によって内径が拡大するように変形し、排水ホースが本来的に有する弾性に基づく抗力が発生する。このため、排水ホースの取り付けに際し、排水ホースと竪樋および排水管との接続は容易であり、また、排水ホースは抜けにくく、接続状態は良好に保持される。その上、排水ホース取り付け用のリブによって排水ホースが、排水ホース接続部の底面部から離れた位置に取り付けられるので、排水路が確保され、排水ホースからのスムーズな排水が可能である。
【００１６】
上記第２の発明によれば、上記第１の発明の効果に加え、排水ホース取り付け用リブの一側部の上端部に形成された誘い込み部によって排水ホースの一端部がガイドされ、排水ホースと竪樋および排水管との接続がさらに容易になる。
【００１７】
上記第３の発明によれば、上記第１または第２の発明の効果に加え、排水ホース接続部の底面部に形成された勾配部によって、排水ホースからの雨水を一層スムーズに本体内部の排水部に排水することができる。
【００１８】
上記第４の発明によれば、上記第１ないし第３いずれか一つの発明の効果に加え、竪樋接続部に接続される竪樋の一端は竪樋ストッパー部を超えて排水部の奥深くまで達することがなく、排水部において、排水ホースからの雨水の排水路が十分に確保される。
【発明を実施するための最良の形態】
【００１９】
図１は、本発明の排水ホース接続継手の一実施形態を示した斜視図である。図２、図３は、それぞれ、図１に示した排水ホース接続継手を、縦方向に切断した状態を示した斜視図と、横方向に切断した状態を示した斜視図である。
【００２０】
排水ホース接続継手１は、角筒状の本体２と、本体２の側部に接続された、略円筒状の排水ホース接続部３とを備えている。本体２は、上下に開放され、内部に、上下方向に連通する排水部４が形成されている。
【００２１】
排水部４の上端部には竪樋接続部５が配設されている。竪樋接続部５は、その内側に竪樋の一端部を挿入すること（内挿）が可能とされ、この内挿によって竪樋の一端部に接続可能とされている。竪樋接続部５の下端には、排水部４の内側に向かって突出する段状の竪樋ストッパー部６が配設されている。竪樋ストッパー部６は、竪樋接続部５に竪樋の一端部が挿入されて接続されるときに、竪樋の一端と接触することによって、竪樋が竪樋ストッパー部６を超えて排水部４の奥深くまで達するのを規制する。
【００２２】
このような竪樋接続部５は、角樋または丸樋のいずれの形状の竪樋に対しても接続可能となる開口寸法を有している。そして、丸樋への対応として、竪樋接続部５の上端である本体２の上端には、丸樋の外形に対応する形状および大きさの円孔７が形成された丸樋用プレート８が取り付けられる。丸樋用プレート８は、取り付けおよび取り外しが自在であり、竪樋が角樋である場合には取り付けられない。このように、角樋はもちろんのこと、丸樋に対しても、竪樋接続部５は接続可能であり、接続状態において竪樋との間に大きな隙間は生じず、ごみなどが排水部４に入り込むのが十分に抑制される。
【００２３】
排水部４の下端部には、排水管接続部９が配設されている。排水管接続部９は、円筒状とされ、排水部４の下端部から下方に延設されている。このような排水管接続部９は、排水管の一端部の内側への挿入が可能とされて排水管の一端部に接続可能とされている。排水管接続部９の上端部において本体２にはスカート部１０が配設されている。スカート部１０は、本体２の外側に広がる円盤状のフランジ部１１と、フランジ部１１の外周から下方に延設された周辺部１２とから形成されている。周辺部１２の下端は、排水管接続部９の下端よりも上側に配置されている。
【００２４】
排水ホース接続部３は、中空な接続部１３を介して本体２の側部に接続されている。図３に示したように、排水ホース接続部３は、本体２側の側面部が縦方向に切り欠かれた略円筒状の形状を有している。切欠部１４において排水ホース接続部３の内部１５は、中空な接続部１３を介して排水部４に連通している。接続部１３は、本体２の側端から排水ホース接続部３の外周に接するように延び、本体２の外方に向かって先細となる形状を有している。接続部１３の上端には、排水ホース接続部３とによって、オーバーフロー用の排水ホースの外形に対応した円孔１６が形成されるように、略半円状に切り欠かれた蓋１７が取り付けられる。蓋１７は、取り付けと取り外しが自在であり、蓋１７の取り付けは、一般には、排水ホースの一端部を排水ホース接続部３に接続した後に行われる。
【００２５】
このように、排水ホース接続部３は、上方に開放され、内部１５にオーバーフロー用の排水ホースの一端部が挿入によって接続可能とされている。
【００２６】
また、排水ホース接続部３は、底面部１８を有する有底筒状の形状を有している。底面部１８は、接続部１３の底面部１９とともに、本体２の側部に向かって下方に傾斜する勾配部２０を形成している。
【００２７】
なお、排水ホース接続部３は、排水ホース接続継手１において縦方向に延びているが、本発明の排水ホース接続継手では、排水ホースの上方からの挿入が可能であれば、排水ホース接続部は、斜めに傾斜させて本体に接続することができる。
【００２８】
そして、排水ホース接続継手１では、接続部１３の付近において、底面部１９および排水ホース接続部３の底面部１８に排水ホース取り付け用のリブ２１が立設されている。リブ２１は、平板状の形状を有し、底面部１９、１８から上方に延び、排水ホース接続部３の内部に配置されている。リブ２１において排水部４側に配置される一側部２２は、リブ２１の幅を切り欠くようにして形成され、下端部から上端部にかけてなだらかに上方に湾曲している。そして、リブ２１の一側部２２は、排水ホース接続部３の内部１５に挿入される排水ホースの一端部の内径を、挿入につれて拡径可能としている。
【００２９】
このような排水ホース接続継手１は、丸樋用プレート８および蓋１７を含め、合成樹脂などの成形品として作製することができる。
【００３０】
図４、図５は、それぞれ、図１−３に示した排水ホース接続継手の設置状態を示した斜視図、縦断面図である。
【００３１】
排水ホース接続継手１は、地表付近に配置され、地中に埋設された排水管２３の上端部を一端部として、排水管２３の上端部の内側に挿入されて排水管接続部９が接続されている。竪樋２４は、丸樋であり、本体２の上端に丸樋用プレート８が取り付けられ、丸樋用プレート８に形成された円孔７を通じて竪樋２４の一端部である下端部が、竪樋接続部５に内挿されている。そして、竪樋２４の下端は、段状の竪樋ストッパー部６に接触し、竪樋接続部５に接続されている。
【００３２】
雨水貯留タンクから延びるオーバーフロー用の排水ホース２５には蛇腹管が用いられ、排水ホース２５が、排水ホース接続部３の上方から内部１５に挿入されている。排水ホース接続部３の内部１５に挿入された排水ホース２５の一端部である下端部の内部にリブ２１が挿入され、リブ２１の一側部２２は、排水ホース２５の一端部の内径を、挿入につれて拡径する。
【００３３】
具体的には、図５に示したように、リブ２１の一側部２２には、上端部に、下端部からの湾曲と同程度に上方に湾曲した、排水ホース２５の誘い込み部２６が形成されている。誘い込み部２６は、排水ホース２５の一端部の内径の挿入につれての拡径をガイドする。このように、誘い込み部２６にガイドされて排水ホース２５の一端部は、内部に挿入されるリブ２１によって、内径が拡大するように変形し、排水ホース２５が本来的に有する弾性に基づく抗力が発生して排水ホース接続部３に接続されている。この接続状態において、排水ホース２５の下端は、排水ホース接続部３の底面部１８の上方に配置される。また、排水ホース２５の下端部が接続された状態において、蓋１７が接続部１３の上端に取り付けられる。
【００３４】
竪樋２４を通って流下する雨水は、竪樋接続部５から排水ホース接続継手１の本体２の排水部４に流れ込む。そして、排水部４を流下し、排水管接続部９を通じて排水管２３に排水される。雨水貯留タンクからオーバーフローする雨水は、排水ホース２５から排水ホース接続部３の内部１５に流れ込み、接続部１３の内部を通じて本体２の排水部４に流れ出る。そして、排水部４を流下し、排水管接続部９を通じて排水管２３に排水される。このように、排水ホース接続継手１は、竪樋２４を流れる雨水および雨水貯留タンクからオーバーフローする雨水をともに排水管２３に向けて排水することができる。
【００３５】
たとえば図６に示したように、排水ホース接続継手１は、雨水利用システム２７に組み込まれ、ブロック２８の上に載せて屋外に設置される雨水貯留タンク２９の上端部から延びる排水ホース２５の一端部が排水ホース接続部３に接続される。雨水貯留タンク２９からオーバーフローする雨水は、排水ホース２５および排水ホース接続継手１を介して竪樋２４に連通する排水管２３に排水される。竪樋２４には、その排水路の途中に雨水取り出し装置３０が接続され、フィルターなどを内蔵して備える雨水取り出し部３１に、ホース３２を介して雨水貯留タンク２９が接続されている。竪樋２４を流れる雨水は、その一部が、雨水取り出し装置３０の雨水取り出し部３１から取り出され、雨水貯留タンク２９に一定量貯留される。貯留された雨水は、雨水貯留タンク２９の底部付近に備えるコック３３を開けることにより取り出すことができ、散水、洗車などに利用される。このように、雨水利用システム２７は、竪樋２４より受水路としてのホース３２を介して雨水を受水する雨水貯留タンク２９と、雨水貯留タンク２９からのオーバーフロー水を竪樋２４に排水する溢水路としての排水ホース２５とを有して構成されている。
【００３６】
なお、排水ホース２５は、蛇腹管を例示しているが、本発明の排水ホース接続継手には、適度に屈曲性を有するホースであれば、排水ホースとして排水ホース接続部に接続可能である。従来公知のものを含め、各種のものを採用することができる。
【００３７】
排水ホース接続継手１では、上記のとおり、雨水貯留タンク２９から延びる排水ホース２５の一端部を排水ホース接続部３に接続することができ、雨水貯留タンク２９からオーバーフローする雨水を、竪樋２４を流れる雨水とともに排水することができる。排水ホース接続部３では、排水ホース２５の一端部が、内部１５への挿入にともなって排水ホース取り付け用のリブ２１の一側部２２によって内径が拡大するように変形し、排水ホース２５が本来的に有する弾性に基づく抗力が発生する。このため、排水ホース２５の取り付けに際し、排水ホース２５と竪樋２４および排水管２３との接続は容易であり、また、排水ホース２５は抜けにくく、接続状態は良好に保持される。排水ホース２５が抜けにくいのは、排水ホース接続部３が上下方向に延びていることが寄与してもいる。排水ホース２５の取り付け方向が重力方向に一致または略一致しているからである。その上、排水ホース取り付け用のリブ２１によって排水ホース２５が、排水ホース接続部３の底面部１８から離れた位置に取り付けられるので、排水路が確保され、排水ホース２５からのスムーズな排水が可能である。
【００３８】
また、排水ホース接続継手１では、リブ２１の一側部２２の上端部に形成された誘い込み部２６によって排水ホース２５の一端部の嵌入がガイドされ、排水ホース２５と竪樋２４および排水管２３との接続がさらに容易になっている。
【００３９】
さらに、排水ホース接続継手１では、排水ホース接続部３の底面部１８に形成された勾配部２０によって、排水ホース２５からの雨水を一層スムーズに本体２の内部の排水部４に排水することができる。
【００４０】
さらにまた、排水ホース接続継手１では、竪樋接続部５に接続される竪樋２４の一端は竪樋ストッパー部６を超えて排水部４の奥深くまで達することがなく、排水部４において、排水ホース２５からの雨水の排水路が十分に確保される。
【図面の簡単な説明】
【００４１】
【図１】本発明の排水ホース接続継手の一実施形態を示した斜視図である。
【図２】図１に示した排水ホース接続継手を縦方向に切断した状態を示した斜視図である。
【図３】図１に示した排水ホース接続継手を横方向に切断した状態を示した斜視図である。
【図４】図１−３に示した排水ホース接続継手の設置状態を示した斜視図である。
【図５】図１−３に示した排水ホース接続継手の設置状態を示した縦断面図である。
【図６】図１−３に示した排水ホース接続継手を含む、雨水利用システムを示した斜視図である。
【符号の説明】
【００４２】
１  排水ホース接続継手
２  本体
３  排水ホース接続部
４  排水部
５  竪樋接続部
６  竪樋ストッパー部
９  排水管接続部
１３  接続部
１８  底面部
１９  底面部
２０  勾配部
２１  リブ
２２  一側部
２３  排水管
２４  竪樋
２５  排水ホース
２６  誘い込み部
２９  雨水貯留タンク
【図１】
2010106466.tif 000003
【図２】
2010106466.tif 000004
【図３】
2010106466.tif 000005
【図４】
2010106466.tif 000006
【図５】
2010106466.tif 000007
【図６】
2010106466.tif 000008